(57)【特許請求の範囲】
【請求項１】
棚レール（１５０）に延長可能に連結されているキャビネットレールを有し、かつ前記キャビネットレールがキャビネットに連結されるのに適しており、前記棚レール（１５０）は引き出しに連結されるのに適した、引き出し用のスライド（１５２）と、
前記棚レール（１５０）に連結されている位置調節機構（１５１）とを備え、前記位置調節機構（１５１）は、取付バー（１５３）と、前記取付バー（１５３）から延びているタブ（１８４）とを有し、前記タブ（１８４）は前記棚レール（１５０）に連結されており、ねじ部付ボルト（１５９）が前記タブ（１８４）内のねじ部付穴（１８３）を通っており、円形板（１８７）が前記タブ（１８４）のカットアウト部内の偏倚シリンダ（１８９）を有しており、前記ねじ部付ボルト（１５９）が前記棚レール（１５０）のウェブを通っている、引き出し用のスライド及び位置決め要素。
【請求項２】
前記偏倚シリンダ（１８９）は、前記棚レール（１５０）内のカットアウト部を通っており、前記棚レール（１５０）内の前記カットアウト部は、前記偏倚シリンダ（１８９）の寸法よりもわずかに大きな寸法を有している、請求項１に記載の引き出し用のスライド及び位置決め要素。
【請求項３】
前記円形板（１８７）から延びている偏倚突出部をさらに有している請求項２に記載の引き出し用のスライド及び位置決め要素。
【請求項４】
前記タブ（１８４）の前記カットアウト部は皿穴であり、前記円形板（１８７）は、前記皿穴内で当接している請求項３に記載の引き出し用のスライド及び位置決め要素。
【請求項５】
前記タブ（１８４）は、前記取付バー（１５３）のスロット（１７６）に連結されている請求項１に記載の引き出し用のスライド及び位置決め要素。
【請求項６】
前記タブ（１８４）は前記棚レール（１５０）の輪郭部内にある請求項１に記載の引き出し用のスライド及び位置決め要素。
【請求項７】
前記タブ（１８４）は、第一方向における前記引き出しに関する前記棚レール（１５０）の位置を調節する手段（１６１）と、第二方向における前記引き出しに関する前記棚レール（１５０）の位置を調節する手段（１５９）とを有し、前記第一方向における前記引き出しに関する前記棚レール（１５０）の位置を調節する手段（１６１）の一部と、前記第二方向における前記引き出しに関する前記棚レール（１５０）の位置を調節する手段（１５９）は、前記棚レールの前記ウェブを通して延びている、請求項６に記載の引き出し用のスライド及び位置決め要素。
【発明の詳細な説明】
【技術分野】
【０００１】
本発明は、一般に、引き出し用のスライド調節機構に関し、とりわけ、垂直方向及び水平方向の引き出し用のスライド調節機構に関する。
【背景技術】
【０００２】
キャビネットと引き出しや棚などを延長可能に連結している引き出し用スライドがある。引き出し用スライドにより、引き出しの中身に容易に手を伸ばすことができるように、例えば引き出しをキャビネットから延長させることができる。引き出し用スライドは、ラックに取り付ける用途などの多数の他の用途や、広範囲で物品を取り付けたい時にいつでも使用される。
【０００３】
引き出し用スライドは、キャビネットに連結されている第一レールと、引き出しに連結されている第二レールとを有している場合が多い。第二レールは、一般に、第一レールから延長可能である。さらに、いくつかの引き出し用スライドは、第一レールと第二レールを連結している中間レールを有し、三つのレールからなる引き出し用スライドを形成している。
【０００４】
引き出し用スライドを適切に据え付けることが難しいことが時々ある。引き出しが引き出し用スライドに取り付けられ、引き出し用スライドは、キャビネットに固定的に取り付けられ、引き出し用スライドの誤整列により、引き出しがキャビネットと誤整列される。さらに、キャビネットと引き出しの許容誤差があることで、キャビネット内で引き出しを適切に嵌めるために、好ましくは結合具又は隙間なく、引き出し基礎部分の近傍の引き出し上で調節することが必要となる。
【発明の開示】
【０００５】
本発明の一態様は、引き出しに取り付けられるのに適した取付バーと、取付バーに連結されたタブと、タブから延びている第一位置決め要素と、タブから延びている第二位置決め要素とを備えている、引き出し用のスライド及び位置決め機構を提供する。
【０００６】
本発明の別の態様は、棚レールに延長可能に連結されているキャビネットレールを有し、かつ前記キャビネットレールがキャビネットに連結されるのに適しており、前記棚レールは引き出しに連結されるのに適した、引き出し用スライドと、前記棚レールに連結されている位置調節機構とを備え、前記位置調節機構は、第一方向において前記引き出しに関して前記棚レールの位置を調節する手段と、第二方向において前記引き出しに関して前記棚レールの位置を調節する手段とを有し、前記第二方向は前記第一方向と直角である、引き出し用のスライド及び位置決め要素を提供している。
【０００７】
本発明の別の態様は、棚レールに延長可能に連結されているキャビネットレールを有しかつ、キャビネットレールがキャビネットに連結されるのに適しかつ棚レールは引き出しに連結されるのに適している、引き出し用スライドと、取付バーと取付バーから延びているタブを有している、棚レールに連結された位置調節機構とを備え、タブは棚レールに連結されており、ねじ部付きボルトがタブ内のねじ穴を通っており、円形板がタブのカットアウト部内の偏倚シリンダを有している、引き出し用のスライド及び位置決め要素を提供している。
【０００８】
本発明のこれら及び他の態様は、添付図面及び開示を参照してより十分に理解される。
【発明を実施するための最良の形態】
【０００９】
図１は、下側取付引き出し用スライド１５２と、位置調節機構１５１とを示している。下側取付引き出し用スライドは、一般に、引き出し（図示）の下に位置決めされている。位置調節機構は、棚レール１５０の前部に配置されており、ハンドル１５５及び位置決め要素１５７を有している、取付バー１５３を有している。位置決め要素は、棚レールによって形成されている輪郭部内に挿入されており、ハンドルは、棚レールと平行に延びている。取付バーは、引き出しの前部の後側に連結されている。
【００１０】
位置決め要素は、垂直方向位置決め要素１５９と、水平方向位置決め要素１６１とを有しており、各々は、棚レールのウェブのカットアウト部１６３を通して延びている。垂直方向位置決め要素は、カットアウト部内で、可動であり、又は垂直方向に移動可能であり、垂直方向及び他の方向についての語は、下側取付引き出し用スライドに取り付けられている位置決め要素を基準にして用いられているということが理解されるべきである。図１に関して示されている基準座標によれば、水平方向位置決め要素は、下側取付スライドに関する、左右方向、又は水平方向に移動可能な突出部を有している。
【００１１】
取付バーが引き出しに連結されていると、垂直方向位置決め要素の調節で棚レールと引き出しの間で垂直方向に移動し、水平方向の位置決め要素の調節で棚レールと引き出しの間で水平方向に移動する。
【００１２】
図２は、取付バー１５３とハンドル１５５と位置決め要素１５７とを有している、図１の位置決め調節機構の斜視図を示している。取付バーは、正面１７１及び後面１７３を有する梁部材を形成している。取付バーの正面は、引き出しの前部（図示せず）の後部に対して配置されるのに適している。取付バーの後面は、位置決め要素を受け入れるのに適している。
【００１３】
位置決め要素は、取付バーの柱部１７０の周りで挿入されている。穴１７８は、柱部の、ハンドルに隣接した一側面上に位置している。取付バーの隙間部１７６は、柱部の他方の側面上にある。位置決め要素上において、外側に面している複数のクロー（図３中において参照番号２０３ａ、ｂとして示されている）が凹所（図３中で参照番号２０２として示されている）の両方の側面上にある。凹所は、取付バーの柱部に対して配置されており、複数のクローの一方が隙間部１７６内にあり、他方のクローは穴１７８の中である。隙間部１７６及び穴１７８は、複数のクローの高さよりも大きな高さを有しており、それにより、複数のクローが隙間部及び穴内で上下に移動することができる。
【００１４】
歯部１７４は、穴１７８内に延びている。歯部１７４は、取付バーの後部から延びているヒンジ要素１７２から延びている。ヒンジ要素１７２は、通常、歯部を穴１７８内に付勢し、複数のクローの中の一つへ力をかけ、通常、位置決め要素を所定位置で保持する。図２の実施例のヒンジ要素は、取付バーと一体で形成されており、リビングヒンジと呼ばれることもあるタイプである。
【００１５】
ハンドル１５５は、さらに、ヒンジ要素の、歯部１７４と反対の一側面上で、取付バーのヒンジ要素から延びている。ハンドルを、リビングヒンジから離すように回転させることにより、歯部１７４を位置決め要素のクローから離す。ハンドルが十分に回転させられると、歯部がクローから自由に引かれる。
【００１６】
位置決め要素はタブ１８４を有している。垂直方向位置決め要素１５９と水平方向位置決め要素１６１は、タブの差込カットアウト部内にある。図１に示すように、タブは、スライドに関して所定位置で固定的に保持されている。図２に示すように、カットアウト部は円形である。垂直方向位置決め要素は、ねじ部付ボルトの形態である。垂直方向位置決め要素の回転により、タブに関して垂直方向位置決め要素を移動させる。水平方向位置決め要素は、円形板１８７の形態であり、偏倚シリンダ１８９が円形板１８７から延びている。円形板は、タブの複数の円形カットアウト部の中の一つ内に位置決めされている。円形板が回転することにより、タブに関して偏倚シリンダが相対的に移動する。
【００１７】
図１を再び参照すると、垂直方向位置決め要素１５９は、棚レール内のカットアウト部を通して突出している。作動時において、垂直方向位置決め要素の、回転、すなわち垂直方向移動により、垂直方向位置決め要素を、棚上に着座している引き出しの下側面に対して、押圧する又は押す。この力により、クローが隙間部及び穴内に移動させられ、クローがタブと取付バーの間で、相対的な垂直方向位置に移動させられる。取付バーが引き出しに取り付けられ、タブがスライドに関して固定され、その結果、引き出し、特に引き出しの前部が、スライドに関して垂直方向に移動又は位置決めされる。
【００１８】
水平方向位置決め要素１６１は、図１に示すように、さらに、棚レール内の、垂直方向位置決め要素がそれを通して突出するカットアウト部を通して突出している。しかしながら、垂直方向位置決め要素１５９の周りのカットアウト部の部分の幅は、水平方向位置決め要素の偏倚シリンダの直径よりもわずかに大きいだけである。水平方向位置決め要素の回転により、偏倚シリンダの水平方向移動となる。カットアウト部が偏倚シリンダよりもわずかに大きいだけであるので、偏倚シリンダが移動することにより、スライドが位置調節機構に関して移動する。
【００１９】
図３は、取付バー、タブ、垂直方向位置決め要素及び水平方向位置決め要素の分解図である。タブは、係合端部２０１を有し、外方に面しているクロー２０３ａ、ｂは、取付バー内に挿入するのに適している。タブは、さらに、垂直方向位置決め要素を受容するために、円形の、ねじ部付カットアウト部１８３を有している。水平方向位置決め要素は、タブ内の皿穴１８５内に配置されるのに適している。垂直方向位置決め要素は、ねじ部付ボルトの形態であり、板２１３上のねじ頭部（図４中において参照番号２１１で示す）は、垂直方向位置決め要素の、比較的に大きな直径のねじ部を有している板を有する、ボルト頭を形成している。水平方向位置決め要素は、さらに、ねじ頭（図４中において参照番号２１７で示す）を有する板２１５を有している。水平方向位置決め要素のねじ頭を有する板は、円形板よりも直径が小さく、円形板は、タブの皿穴内で水平方向位置決め要素を支持することができる。
【００２０】
図５は、３つのレールからなる入れ子式引き出し用スライドの側面図を示している。入れ子式引き出し用スライドは、いくつかの用途において、キャビネット内の引き出しの下に取り付けられるのに適している。入れ子式引き出し用スライドは、外側部材２２１と、中間部材２２２と、内側部材２２３とを有している。内側部材は、平坦なウェブ２２５の両側において弧状軌道部２２７を有している。いくつかの実施例では、図２の位置決め要素などの位置決め要素は、２つの弧状軌道部の間に配置されている。図１のスライドのように、カットアウト部を有しているウェブは、垂直方向位置決め要素及び水平方向位置決め要素を受容している。以後、引き出しの調節を前述のように行うことができる。
【００２１】
それゆえ、本発明は、引き出し用スライドの位置決め機構を提供する。本発明は特定の実施例に関して記載されているが、本発明は、特許請求の範囲、及びこの開示によって支持されている均等物を含んでいることが認識されるはずである。
【図面の簡単な説明】
【００２２】
【図１】本発明の態様による位置調節機構を有する下側取付引き出し用スライドの斜視図を示している。
【図２】本発明の態様による位置調節機構の斜視図を示している。
【図３】図１の位置調節機構の部分の分解斜視図を示している。
【図４】図１の位置調節機構の底面図を示している。
【図５】本発明の態様による位置調節機構を用いて使用される、入れ子式スライドプロファイルの側面図を示している。
【図１】
0004406009.tif 000002
【図２】
0004406009.tif 000003
【図３】
0004406009.tif 000004
【図４】
0004406009.tif 000005
【図５】
0004406009.tif 000006